(57)【要約】      （修正有）【課題】電源コントローラを電源装置に着脱可能に装着し、電源コントローラを単独で交換することができるようにし、交換が容易である上、交換コストを下げることができるＬＥＤ発光モジュールの電源装置を提供する。【解決手段】ＬＥＤ発光モジュール１及び電源装置２を備える。ＬＥＤ発光モジュール１は、透光性蛍光灯１１中に配置されたＬＥＤ発光素子を含む。電源装置２は、ＬＥＤ発光モジュール１の透光性蛍光灯１１に接続された筐体２１を含む。筐体２１には、スロット２３が設けられ、電源装置２は、スロット２３に対応した電源コントローラ２４を含む。電源コントローラ２４は、筐体２１のスロット２３に挿入され、ＬＥＤ発光モジュール１に接続された電源を制御する。【選択図】図４
0003178737.tif 000002
【実用新案登録請求の範囲】
【請求項１】
ＬＥＤ発光モジュール及び電源装置を備えたＬＥＤ発光モジュールの電源装置であって、
前記ＬＥＤ発光モジュールが、透光性蛍光灯中に配置されたＬＥＤ発光素子を含み、
前記電源装置が、前記ＬＥＤ発光モジュールの前記透光性蛍光灯に接続された筐体を含み、
前記筐体には、スロットが設けられ、前記電源装置が、前記スロットに対応した電源コントローラを含み、
前記電源コントローラが、前記筐体の前記スロットに挿入され、前記ＬＥＤ発光モジュールに接続された電源を制御することを特徴とするＬＥＤ発光モジュールの電源装置。
【請求項２】
前記電源コントローラが、プレート体に形成され、前記プレート体の一面には、前記電源装置と電気的に接続される複数の導電端子が設けられ、
前記プレート体中には、少なくとも１つのＬＥＤ駆動制御ＩＣが含まれる請求項１に記載のＬＥＤ発光モジュールの電源装置。
【請求項３】
前記ＬＥＤ発光モジュールの前記透光性蛍光灯を、蛍光灯ランプホルダに取り付ける長尺状蛍光灯として用い、
前記長尺状蛍光灯には、前記電源装置の前記筐体が接続される請求項２に記載のＬＥＤ発光モジュールの電源装置。
【請求項４】
ＬＥＤ発光モジュール及び電源装置を備えたＬＥＤ発光モジュールの電源装置であって、
前記ＬＥＤ発光モジュールが、透光性蛍光灯中に配置されたＬＥＤ発光素子を含み、
前記電源装置が、前記透光性蛍光灯中に配置され、
前記透光性蛍光灯には、前記電源装置に連通したスロットが設けられ、
前記電源装置が、前記スロットに対応した電源コントローラを含み、
前記電源コントローラが、前記透光性蛍光灯の前記スロットに挿入され、前記ＬＥＤ発光モジュールに接続された電源を制御することを特徴とするＬＥＤ発光モジュールの電源装置。
【請求項５】
前記電源コントローラが、プレート体に形成され、前記プレート体の一面には、前記電源装置と電気的に接続される複数の導電端子が設けられ、
前記プレート体中には、少なくとも１つのＬＥＤ駆動制御ＩＣが含まれる請求項４に記載のＬＥＤ発光モジュールの電源装置。
【請求項６】
前記ＬＥＤ発光モジュールの前記透光性蛍光灯を、蛍光灯ランプホルダに取り付ける長尺状蛍光灯として用い、
前記長尺状蛍光灯中には、前記電源装置の筐体が配置されている請求項５に記載のＬＥＤ発光モジュールの電源装置。
【考案の詳細な説明】
【技術分野】
【０００１】
本考案は、ＬＥＤ発光モジュールの電源装置に関し、特に、蛍光灯のランプホルダに直接取り付けて使用し、電源装置の電源コントローラを単独で交換することができるＬＥＤ発光モジュールの電源装置に関する。
【背景技術】
【０００２】
従来の照明設備では発光部材として主に白熱電球又は蛍光灯が用いられているが、白熱電球及び蛍光灯はともに消費電力が多くて使用寿命が短いという欠点を有する。それとは反対に、従来の高パワーＬＥＤは、消費電力が少なく、耐久性が高く、寿命が長いなどの長所を有するため、白熱電球の替わりに徐々に普及している。このようにＬＥＤは照明設備として普及し始めているが、依然として解決しなければならない技術的問題点が多くある。例えば、ランプホルダを交換しなくとも、ＬＥＤ蛍光灯又はＬＥＤ電球を直接交換することができる技術が求められていた。
【０００３】
図１を参照する。図１に示すように、従来のＬＥＤ蛍光灯１０は、回路基板、駆動制御ＩＣなどの電子部品を含んだ電源供給装置２０が一方の端部に取り付けられ、ＬＥＤ蛍光灯１０の他方の端部と、電源供給装置２０の端部には、従来の蛍光灯と同様に導電端子３０が設けられている。この導電端子３０は、ＬＥＤ蛍光灯１０を電源供給装置２０とともにランプホルダに取り付け、電源供給装置２０により交流電流（ＡＣ）を直流電流（ＤＣ）へ変換し、整流を行ってＬＥＤ蛍光灯１０に必要な電圧及び電流を得ることができるが、電源供給装置２０の構造がＬＥＤ蛍光灯１０との組み合わせにより一体化されているため、電源供給装置２０中の電子部品の一部が故障したときでも、ＬＥＤ蛍光灯１０とともに交換しなければならず、経済性がとても低かった。
【０００４】
図２及び図３を参照する。図２及び図３に示すように、電源供給装置２０の問題点及び欠点に鑑み、従来技術では、電源供給装置２０ａ，２０ｂとＬＥＤ蛍光灯１０とを分離可能な構造に設計し、ねじ山接続構造２０１ａ又は導電ピン２０１ｂの接続方式により、電源供給装置２０ａ，２０ｂとＬＥＤ蛍光灯１０とを接続し、電源供給装置２０ａ，２０ｂが故障した場合、ＬＥＤ蛍光灯１０を残しながら電源供給装置２０ａ，２０ｂを交換することができる。しかし、電源供給装置２０ａ，２０ｂ中に含まれる多種類の電子部品のうち故障し易い部分は、電源コントローラ（電源トランス）であり、電源コントローラ（電源トランス）が故障した場合、電源供給装置２０ａ，２０ｂ全体を交換しなければならないため、交換やメンテナンスにかかるコストを減らすことはできなかった。さらに、上述の構造設計では、交換の際にＬＥＤ蛍光灯１０及び電源供給装置２０ａ，２０ｂを一緒に取り外して、新しい電源供給装置２０ａ，２０ｂを元の位置へ取り付けなければならなかったためユーザにとって不便である。
【０００５】
そのため、ＬＥＤ発光モジュールの電源装置を改良することにより、電源コントローラの交換コストが高くて交換方式が不便であるという問題点を解決することが求められていた。
【０００６】
さらに電源コントローラの交換が容易であり、電源コントローラの交換にかかるコストを減らすことができるＬＥＤ発光モジュールの電源装置が求められていた。
【考案の概要】
【考案が解決しようとする課題】
【０００７】
本考案の目的は、電源装置を改良し、電源コントローラを電源装置へ着脱可能に装着することができるようにし、電源コントローラを単独で交換し、容易に交換したり交換コストを下げることができるＬＥＤ発光モジュールの電源装置を提供することにある。
【課題を解決するための手段】
【０００８】
前記課題を解決するために、本考案の第１の形態によれば、ＬＥＤ発光モジュール及び電源装置を備えたＬＥＤ発光モジュールの電源装置であって、前記ＬＥＤ発光モジュールは、透光性蛍光灯中に配置されたＬＥＤ発光素子を含み、前記電源装置は、前記ＬＥＤ発光モジュールの前記透光性蛍光灯に接続された筐体を含み、前記筐体には、スロットが設けられ、前記電源装置は、前記スロットに対応した電源コントローラを含み、前記電源コントローラは、前記筐体の前記スロットに挿入され、前記ＬＥＤ発光モジュールに接続された電源を制御することを特徴とするＬＥＤ発光モジュールの電源装置が提供される。
【０００９】
また、前記電源コントローラは、プレート体に形成され、前記プレート体の一面には、前記電源装置と電気的に接続される複数の導電端子が設けられ、前記プレート体中には、少なくとも１つのＬＥＤ駆動制御ＩＣが含まれることが好ましい。
【００１０】
また、前記ＬＥＤ発光モジュールの前記透光性蛍光灯を、蛍光灯ランプホルダに取り付ける長尺状蛍光灯として用い、前記長尺状蛍光灯には、前記電源装置の前記筐体が接続されることが好ましい。
【００１１】
前記課題を解決するために、本考案の第２の形態によれば、ＬＥＤ発光モジュール及び電源装置を備えたＬＥＤ発光モジュールの電源装置であって、前記ＬＥＤ発光モジュールは、透光性蛍光灯中に配置されたＬＥＤ発光素子を含み、前記電源装置は、前記透光性蛍光灯中に配置され、前記透光性蛍光灯には、前記電源装置に連通したスロットが設けられ、前記電源装置は、前記スロットに対応した電源コントローラを含み、前記電源コントローラは、前記透光性蛍光灯の前記スロットに挿入され、前記ＬＥＤ発光モジュールに接続された電源を制御することを特徴とするＬＥＤ発光モジュールの電源装置が提供される。
【００１２】
また、前記電源コントローラは、プレート体に形成され、前記プレート体の一面には、前記電源装置と電気的に接続される複数の導電端子が設けられ、前記プレート体中には、少なくとも１つのＬＥＤ駆動制御ＩＣが含まれることが好ましい。
【００１３】
また、前記ＬＥＤ発光モジュールの前記透光性蛍光灯を、蛍光灯ランプホルダに取り付ける長尺状蛍光灯として用い、前記長尺状蛍光灯中には、前記電源装置の筐体が配置されることが好ましい。
【考案の効果】
【００１４】
本考案のＬＥＤ発光モジュールの電源装置は、電源コントローラを独立構造の部材に形成し、電源装置中へ直接配置せずに、電源装置又は透光性蛍光灯のスロットへ容易かつスピーディに挿入することができるため、電源コントローラが故障したり、規格の変更により交換する必要がある場合、電源装置全体を交換したり、ＬＥＤ発光モジュール全体を取り外して交換したりする必要がないため、従来のＬＥＤ蛍光灯を使用する際の問題点を無くし、交換作業を簡便にして交換コストを減らすことができる。
【図面の簡単な説明】
【００１５】
【図１】図１は、従来のＬＥＤ蛍光灯を電源供給装置へ接続したときの状態を示す斜視図である。
【図２】図２は、従来のＬＥＤ蛍光灯を電源供給装置から外したときの状態を示す斜視図である。
【図３】図３は、従来のＬＥＤ蛍光灯を電源供給装置から外したときの状態を示すもう一つの斜視図である。
【図４】図４は、本考案の第１実施形態に係るＬＥＤ発光モジュールを示す斜視図である。
【図５】図５は、本考案の第１実施形態に係るＬＥＤ発光モジュールを示す拡大図である。
【図６】図６は、本考案の第１実施形態に係るＬＥＤ発光モジュールを示す側面図である。
【図７】図７は、本考案の第２実施形態に係るＬＥＤ発光モジュールを示す斜視図である。
【考案を実施するための形態】
【００１６】
以下、本考案の実施形態について図に基づいて説明する。なお、これによって本考案が限定されるものではない。
【００１７】
（第１実施形態）
図４〜図６を参照する。図４〜図６に示すように、本考案の第１実施形態に係るＬＥＤ発光モジュールの電源装置は、少なくともＬＥＤ発光モジュール１及び電源装置２から構成される。ＬＥＤ発光モジュール１は、透光性蛍光灯１１中に配置されたＬＥＤ発光素子（図示せず）を含む。電源装置２は、ＬＥＤ発光モジュール１の透光性蛍光灯１１のいずれかの端部又は中央部に接続された筐体２１と、筐体２１中に配置された電子部品と、を含む。第１実施形態において、電源装置２の筐体２１の側部には、スロット２３が設けられ、電源装置２は、スロット２３に対応した電源コントローラ２４を含む。電源コントローラ２４は、スロット２３に対応したプレート体２４１に形成され、プレート体２４１の一面には、スロット２３と電気的に接続可能な複数の導電端子２４２が設けられている。プレート体２４１中には、少なくとも１つのＬＥＤ駆動制御ＩＣ等の素子が含まれ、筐体２１の側部に設けられたスロット２３に電源コントローラ２４が挿入され、スロット２３を用いることによりＬＥＤ発光モジュール１に接続された電源を制御し、第１実施形態のＬＥＤ発光モジュールの電源装置を構成する。
【００１８】
図４〜図６を参照する。図４〜図６に示すように、本考案の一実施形態に係るＬＥＤ発光モジュール１の透光性蛍光灯１１は、蛍光灯ランプホルダに取り付けた長尺状蛍光灯として用い、電源装置２の筐体２１を透光性蛍光灯１１の端部又は中央部に接続し、筐体２１の側部に凹設されたスロット２３中へ電源コントローラ２４を挿入して電源コントローラ２４を使用する。
【００１９】
（第２実施形態）
図７を参照する。図７に示すように、本考案の第２実施形態に係るＬＥＤ発光モジュールの電源装置は、第１実施形態と同様にＬＥＤ発光モジュール１及び電源装置２を含む。ＬＥＤ発光モジュール１は、透光性蛍光灯１１中に配置された複数のＬＥＤ発光素子（図示せず）を含む。電源装置２は、透光性蛍光灯１１中に配置され、第１実施形態と同様に電子部品を含む。第２実施形態の透光性蛍光灯１１には、電源装置２に連通した挿入口１２が設けられている。電源装置２は、挿入口１２に対応した電源コントローラ２４をさらに含む。電源コントローラ２４は、挿入口１２に対応したプレート体２４１を含み、プレート体２４１の一面には、挿入口１２と電気的に接続可能な多数の導電端子２４２が設けられ、プレート体２４１中には、少なくとも１つのＬＥＤ駆動制御ＩＣなどの素子が含まれ、透光性蛍光灯１１の側部に設けられた挿入口１２へ電源コントローラ２４を挿入し、ＬＥＤ発光モジュール１に接続された電源を電源コントローラ２４により制御する。
【００２０】
上述したことから分かるように、本考案のＬＥＤ発光モジュールの電源装置は、ユーザにより、ＬＥＤ発光モジュールを電源装置とともに蛍光灯ランプホルダへ取り付け、従来の蛍光灯を交換するために用い、ＬＥＤ発光モジュールを利用するため消費電力が少なく、耐久性が高く、寿命が長いといった長所を有する。特に、電源コントローラに短絡が発生したり故障が発生したりし、新しい規格の製品又は新しい製品と交換する必要がある場合、電源装置全体を交換しなくとも、電源コントローラを抜き出すだけでよいため、交換にかかるコストを減らすことができる。このように電源コントローラを交換する際、ＬＥＤ発光モジュール及び電源装置をランプホルダから取り外さずに、電源コントローラを抜き出して新たな電源コントローラを再び挿入するだけでよいため、交換作業をスピーディかつ簡便に行うことができる。
【００２１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１      ＬＥＤ発光モジュール
２      電源装置
１１      透光性蛍光灯
１２      挿入口
２１      筐体
２３      スロット
２４      電源コントローラ
２４１      プレート体
２４２      導電端子
【図１】
0003178737.tif 000003
【図２】
0003178737.tif 000004
【図３】
0003178737.tif 000005
【図４】
0003178737.tif 000006
【図５】
0003178737.tif 000007
【図６】
0003178737.tif 000008
【図７】
0003178737.tif 000009